(57)【要約】【課題】消費電力を低く抑え、且つウォームアップ時間を短縮できる定着装置を得る。【解決手段】定着ローラ４１と支持ローラ４４とに張架された無端状の定着ベルト４５と、熱源を内蔵する加熱ローラ４７と、定着ベルト４５を介して定着ローラ４１に圧接する加圧ローラ４２とを有し、定着ベルト４５と加圧ローラ４２とのニップ部Ｎに未定着のトナー像ｔを担持した記録材Ｋを通して定着を行う定着装置に関する。加熱ローラ４７がニップ部Ｎよりベルト走行方向Ａの上流側の定着ベルト４５の外周面４５ａに接触配置されている。【選択図】図２
2005099104.tif 000002
【特許請求の範囲】
【請求項１】
定着ローラと支持ローラとに張架された無端状の定着ベルトと、熱源を内蔵する加熱ローラと、上記定着ベルトを介して上記定着ローラに圧接する加圧ローラとを有し、上記定着ベルトと上記加圧ローラとのニップ部に未定着トナー像を担持した記録材を通して定着を行う定着装置において、上記加熱ローラが上記ニップ部よりベルト走行方向上流側の定着ベルト外周面に接触配置されていることを特徴とする定着装置。
【請求項２】
請求項１に記載の定着装置において、上記加熱ローラが定着ベルトにテンションを付与するものであることを特徴とする定着装置。
【請求項３】
請求項１又は２に記載の定着装置において、上記定着ベルトは耐熱性の断熱弾性層を備えていることを特徴とする定着装置。
【請求項４】
請求項３に記載の定着装置において、上記定着ベルトは耐熱性の断熱弾性層の周囲にフッ素樹脂からなる離型層を備えていることを特徴とする定着装置。
【請求項５】
像担持体上に形成された静電潜像を現像手段によりトナー像に可視像化し、該トナー像を記録材上に転写し、トナー像が転写された記録材を定着装置に通して定着する画像形成装置において、上記定着装置が、請求項１〜４の何れか１項に記載のものであることを特徴とする画像形成装置。
【発明の詳細な説明】
【技術分野】
【０００１】
本発明は、未定着の画像を定着するためのベルト定着方式の定着装置、該定着装置を備えた、複写機、プリンタ、ファクシミリ等の画像形成装置に関する。
【背景技術】
【０００２】
電子写真複写機やレーザビームプリンタ等のように、電子写真方式を用いて記録紙を作成する画像形成装置では、感光体ドラム等の画像担持体にトナー画像を形成し、そのトナー画像を用紙に転写した後で、定着装置を通して定着させる手段を用いている。前記定着装置としては、構造が簡単であることと、小形化が容易であること等の理由から、熱ローラ方式の装置が多く使用されている。前記熱ローラ方式の定着装置では、加熱ローラと加圧ローラを対向させて配置し、前記熱ローラの内部に配置した加熱ランプ等を用いて加熱することができるので、全体の構成を小形化して、小型の画像形成装置にも容易に組み込むことが可能になる。
【０００３】
ところが、前述したような熱ローラ方式の定着装置では、カラーコピー装置のように、加熱のための熱量を多く必要とする装置等では、十分な加熱作用を行い得ないという問題が懸念される場合が多くある。そこで、前述したような問題を解決するために、例えば、特開平５−２７３８７６号公報等に示されるように、定着用ベルトを用いた定着装置を構成することが提案されている。前記従来例では、無端状の定着用ベルトに用紙のトナー画像の担持面を押圧する状態で用紙を走行させるとともに、前記定着用ベルトの裏面から加熱する手段を設け、加圧ローラ部材により用紙を定着用ベルトに押圧しながら、定着の作用を行わせるように構成している。
【０００４】
定着ベルトを使用した定着装置として、例えば、特開２０００−６６５４１号公報に開示された装置が知られている。この定着装置は、プリンタ本体に対して脱着可能に設けられている。この定着装置は、ヒータを内蔵した加熱ローラと定着ローラに無端状の定着ベルトを巻回してカバーに組込んで一体化したユニットを、加圧ローラを含む装置本体に脱着可能に取り付けて組み立てられる。定着ベルトは、加熱ローラに内蔵されたヒータによって加熱される。そして、定着ベルトを巻回した定着ローラと加圧ローラとの間を通して、トナー像が転写された用紙が搬送され、定着ベルトから与えられる熱によってトナー像が溶融されて用紙上に定着される。この定着装置は、比較的使用寿命の短い定着ベルト等の部材を一体化したユニットを定着装置本体に対して脱着可能とすることで、ユニットの交換を容易にしてメンテナンス性を向上させている。
【０００５】
また、定着ベルトを使用した他の定着装置として、特開平８−２９２６６９号公報に開示された装置が知られている。この定着装置は、駆動ローラを含む３本のローラに無端状の定着ベルトを巻回せしめて張設し、定着ベルトの内側にヒータを配置し、定着ベルトを介して駆動ローラに加圧ローラを押圧配置して構成されている。定着ベルトは、ヒータによってその裏側から加熱される。そして、定着ベルトを巻回した駆動ローラと加圧ローラとの間を通して、トナー像が転写された用紙が搬送され、定着ベルトから与えられる熱によってトナー像が溶融されて用紙上に定着される。
【特許文献１】特開平５−２７３８７６号公報
【特許文献２】特開２０００−６６５４１号公報
【特許文献３】特開平８−２９２６６９号公報
【発明の開示】
【発明が解決しようとする課題】
【０００６】
しかしながら、上述した特開２０００−６６５４１号公報に開示された定着装置では、加熱ローラに内蔵したヒータによって定着ベルトを加熱しているため、ヒータからの熱が、加熱ローラ、定着ベルト裏面、定着ベルト表面の順に伝わり、定着ベルト表面が所望する温度に昇温されるまでに多くの時間を必要とし、定着装置のウォームアップに多くの時間がかかる問題があった。また、例えば、加熱ローラの回転軸を介してカバーに熱が逃げるため、定着ベルト表面を所望する温度にするまでに必要以上に多くの熱エネルギを必要とし、消費電力が多くなる問題があった。
【０００７】
また、上述した特開平５−２７３８７６号公報又は特開平８−２９２６６９号公報に開示された定着装置では、定着ベルトの内側に配設したヒータでベルト自体を直接加熱しているものの、ヒータからの熱が、定着ベルト裏面に伝わってから定着ベルト表面に伝わるため、例えば、定着ベルト裏面に接触した３本のローラの回転軸を介して熱が逃げ、定着ベルト表面を所望する温度に昇温するまでに多くの時間および熱エネルギが必要となる問題があった。
【０００８】
そこで、本発明は、以上の点に鑑みなされたもので、その目的は、消費電力を低く抑え、且つウォームアップ時間を短縮できる定着装置、およびこの定着装置を備えた画像形成装置を提供することにある。
【課題を解決するための手段】
【０００９】
請求項１に記載の本発明は、定着ローラと支持ローラとに張架された無端状の定着ベルトと、熱源を内蔵する加熱ローラと、上記定着ベルトを介して上記定着ローラに圧接する加圧ローラとを有し、上記定着ベルトと上記加圧ローラとのニップ部に未定着トナー像を担持した記録材を通して定着を行う定着装置において、上記加熱ローラが上記ニップ部よりベルト走行方向上流側の定着ベルト外周面に接触配置されていることを特徴とする定着装置である。この構成では、定着ベルトと加圧ローラとのニップ部の上流側で直接ベルト表面を加熱する構成としたので、定着ベルトと加圧ローラとのニップ部でトナーを溶融するのに必要な熱を効率よく供給でき、エネルギー効率を高め、定着装置のウォームアップに要する時間を短縮できる。
【００１０】
請求項２に記載の本発明は、請求項１に記載の定着装置において、上記加熱ローラが定着ベルトにテンションを付与するものであることを特徴とする定着装置である。この構成では、定着ベルトにテンションを付与するために別部材としてテンションローラを付加することなく、定着ベルトの走行が安定し、スリップ等による速度ムラが解消し、未定着画像を担持した記録材（用紙）を安定して搬送することができる。また、定着ベルトにテンションを付与するための別部材としてテンションローラを付加した場合にテンションローラに逃げる熱を防止することでエネルギー効率を高め、定着装置のウォームアップに要する時間を短縮できる。
【００１１】
請求項３に記載の本発明は、請求項１又は２に記載の定着装置において、上記定着ベルトは耐熱性の断熱弾性層を備えていることを特徴とする定着装置である。この構成では、断熱層を持つことで熱がベルトの裏側に逃げるのを防止し、エネルギー効率を高め、定着装置のウォームアップに要する時間を短縮できる。また定着ベルトが層方向に弾性を有することで定着ベルトと加圧ローラとのニップでの加圧ムラが低減し、定着画像において均一な光沢を得ることが可能になる。
【００１２】
請求項４に記載の発明は、請求項３に記載の定着装置において、上記定着ベルトは耐熱性の断熱弾性層の周囲にフッ素樹脂からなる離型層を備えていることを特徴とする定着装置である。この構成では、ベルト表面に離型剤としてシリコーンオイルを塗布することなくオフセットを抑制できるため、煩雑なオイル塗布機構を付加することなく、安価な定着装置を提供できる。またオイル塗布機構に逃げる熱を防止することでエネルギー効率を高め、定着装置のウォームアップに要する時間を短縮できる。
【００１３】
更に、請求項５に記載の本発明は、像担持体上に形成された静電潜像を現像手段によりトナー像に可視像化し、該トナー像を記録材上に転写し、トナー像が転写された記録材を定着装置に通して定着する画像形成装置において、上記定着装置が、請求項１〜４の何れか１項に記載のものであることを特徴とする画像形成装置である。この構成では、画像形成装置のエネルギー効率を高め、定着装置のウォームアップに要する時間を短縮できる。
【発明の効果】
【００１４】
請求項１に記載の本発明によれば、定着ベルトと加圧ローラとのニップ部の上流側で直接定着ベルト表面を加熱する構成としたので、定着ベルトと加圧ローラとのニップ部でトナーを溶融するのに必要な熱を効率よく供給でき、エネルギー効率を高め、定着装置のウォームアップに要する時間を短縮できる。
【００１５】
また、請求項２に記載の本発明によれば、加熱ローラが定着ベルトにテンションを付与するものであるので、定着ベルトにテンションを付与する別部材としてテンションローラを付加することなく、ベルトの走行が安定し、スリップ等による速度ムラが解消し、未定着画像を担持した記録材（用紙）を安定して搬送することができる。また別部材を付加した場合にテンションローラに逃げる熱を防止することでエネルギー効率を高め、定着装置のウォームアップに要する時間を短縮できる。
【００１６】
また、請求項３に記載の本発明によれば、断熱層を持つことで熱がベルトの裏側に逃げるのを防止し、エネルギー効率を高め、定着装置のウォームアップに要する時間を短縮できる。またベルトが層方向に弾性を有することで定着ニップでの加圧ムラが低減し、定着画像において均一な光沢を得ることが可能になる。
【００１７】
また、請求項４に記載の本発明によれば、ベルト表面に離型剤としてシリコーンオイルを塗布することなくオフセットを抑制できるので、煩雑なオイル塗布機構を付加することなく、安価な定着装置を提供できる。またオイル塗布機構に逃げる熱を防止することでエネルギー効率を高め、定着装置のウォームアップに要する時間を短縮できる。
【００１８】
また、請求項５に記載の本発明によれば、エネルギー効率が高く、ウォームアップ時間の短い画像形成装置を得ることができる。
【発明を実施するための最良の形態】
【００１９】
以下、本発明の一実施の形態を図面を参照して説明する。図１は本発明の一実施例に係るカラープリンタの概略図である。図１には、この発明の実施例に係る画像形成装置として、４連タンデム方式のフルカラープリンタの構成を概略で示した。
【００２０】
このフルカラープリンタは、イエロー、マゼンタ、シアン、ブラックの４色のトナー像をそれぞれ対応した感光体ドラム１Ｙ、１Ｍ、１Ｃ、１Ｂｋ（像担持体）の表面上に形成するための電子写真方式の４組の画像形成部１０Ｙ、１０Ｍ、１０Ｃ、１０Ｂｋ（像形成手段）を備えている。
【００２１】
これら画像形成部１０Ｙ、１０Ｍ、１０Ｃ、１０Ｂｋの下方には、各画像形成部を通して用紙（記録材）を搬送するための搬送ベルト２０が張架されている。各画像形成部１０Ｙ、１０Ｍ、１０Ｃ、１０Ｂｋの感光体ドラム１Ｙ、１Ｍ、１Ｃ、１Ｂｋは、搬送ベルト２０にそれぞれ転接配置され、用紙（記録材）は搬送ベルト２０の表面に静電的に吸着される。
【００２２】
４組の画像形成部１０Ｙ、１０Ｍ、１０Ｃ、１０Ｂｋは、略同じ構造を有する。よって、ここでは用紙の搬送方向最上流側に配設されたイエロー用の画像形成部１０Ｙについて代表して説明し、他の色用の画像形成部１０Ｍ、１０Ｃ、１０Ｂｋについては同一符号を付して詳細な説明を省略する。
【００２３】
画像形成部１０Ｙは、その略中央位置に搬送ベルト２０に転接された感光体ドラム１Ｙを有する。感光体ドラム１Ｙの周囲には、感光体ドラム１Ｙの表面を所定の電位に帯電させる帯電装置２Ｙ、帯電されたドラム表面を色分解された画像信号に基づいて露光し、ドラム表面上に静電潜像を形成する露光装置３Ｙ、ドラム表面上に形成された静電潜像にイエロートナーを供給して現像する現像装置４Ｙ、現像したトナー像を搬送ベルト２０を介して搬送される用紙上に転写する転写ローラ５Ｙ（転写装置）、転写されずにドラム表面に残留した残留トナーを除去するクリーナ６Ｙ、および図示しないドラム表面に残留した電荷を除去する除電ランプが、感光体ドラム１Ｙの回転方向に沿って順に配設されている。
【００２４】
搬送ベルト２０の図中右下方には、用紙を搬送ベルト２０上に給紙するための給紙機構３０が配設されている。搬送ベルト２０の図中左側には、後に詳述する本発明の実施の形態に係る定着装置４０が配設されている。搬送ベルト２０によって搬送された用紙は、搬送ベルト２０から連続して定着装置４０を通って延びた搬送路を搬送され、定着装置４０を通過する。
【００２５】
定着装置４０は、搬送された用紙、すなわちその表面上に各色のトナー像が転写された状態の用紙を加熱および加圧する。そして、各色のトナー像を溶融して用紙に浸透させて定着させる。また、定着装置４０の搬送経路下流側に排紙ローラを介して排紙する。
【００２６】
次に、上述した本発明の実施例に係る定着装置４０について、図２を参照して詳細に説明する。図２は本発明の一実施例に係る定着装置の概略図である。図２に示すように、定着装置４０は、用紙搬送経路を上下に挟む位置関係で配設された定着ローラ４１、および加圧ローラ４２を有する。定着ローラ４１は、金属製の芯金の外周に耐熱性のスポンジゴム層を形成してなる。記録材Ｋの一例としての用紙は、トナー像ｔが転写された表面を上にした姿勢で搬送路を一定速度で搬送される。用紙は、その表面が定着ローラ４１に対向し、裏面が加圧ローラ４２に対向する姿勢で搬送される。本実施の形態では、加圧ローラ４２をバネ４３によって図中上方に加圧し、加圧ローラ４２を定着ローラ４１に向けて押圧するようにしたが、両者の間に押圧力を生じるため、定着ローラ４１を加圧ローラ４２に向けて押圧するようにしても良い。
【００２７】
本実施形態では、加圧ローラ４２には図示しないギヤを介して回転駆動力が伝達されるようになっており、定着ローラ４１は従動回転する。加圧ローラ４２を回転駆動する代わりに、定着ローラ４１を回転駆動するようにしてもよい。また、加圧ローラ４２と定着ローラ４１とをギヤで噛み合わせ、加圧ローラ４２と定着ローラ４１双方を回転駆動するようにしてもよい。
【００２８】
定着装置４０は、定着ローラ４１と金属製の芯金の外周に耐熱性のスポンジゴム層を形成してなる支持ローラ４４とに張架された無端状の定着ベルト４５を有する。定着ベルト４５の構造については後に詳述する。
【００２９】
このようにして定着ローラ４１と支持ローラ４４とに張架された定着ベルト４５は、搬送路を搬送される用紙の表面にその外周面を接触した状態で無端走行される。加圧ローラ４２の外周面は、搬送される用紙Ｐの裏面に接触する。つまり、搬送される用紙は、定着ベルト４５の外周面４５ａと加圧ローラ４２の外周面との間のニップ部Ｎを通過されて加圧される。
【００３０】
定着ベルト４５と加圧４２ローラとのニップ部Ｎからベルト走行方向Ａの上流側の定着ベルト４５の外周面には、ハロゲンランプ（ヒータ）４６を内蔵する加熱ローラ４７が接触配置され、定着ベルト４５がその外周面４５ａよりその全幅にわたって加熱される。加熱ローラ４７は、良熱伝導性の金属からなる中空のパイプであり、中空部にはハロゲンランプ４６（ヒータ）が配設されている。加熱ローラ４７の内周面はハロゲンランプ４６より輻射される熱エネルギーを効率よく吸収するために、耐熱の黒色塗料が塗布されている。
【００３１】
また、加熱ローラ４７はバネ４８によって図中左方向に加圧される。この定着ベルト４５の外周面４５ａへの加圧によって定着ベルト４５にテンションが付与される。また加熱ローラ４７と定着ベルト４５の外周面４５ａとの間にはニップが形成され、ハロゲンランプ４６から輻射された熱は加熱ローラ表面に伝熱し、このニップを介して定着ベルト４５に伝えられる。
【００３２】
第１サーミスタ４９ｂは、定着ベルト４５と加圧ローラ４２との間のニップ部Ｎよりベルト走行方向Ａの上流側で、且つ加熱ローラ４７より下流側の位置に対向する位置に、その検知端が定着ベルト４５の外周面に接触するように配設されている。このように、定着ローラ４１に巻き掛けられた部分で定着ベルト４５の外周面に第１サーミスタ４９ｂを接触させることで、両者の間の接触状態を安定させ、温度検知のばらつきを防止するようにした。さらに第２サーミスタ４９ａが加熱ローラ外周に配置され、加熱ローラ外周面の温度もモニタできるようになっている。
【００３３】
ここで、上述した定着装置４０の動作について説明する。まず、プリンタの電源がＯＮされると、定着装置４０のウォームアップ動作が開始される。ウォームアップ動作では、ハロゲンランプ４６が点灯され、加熱ローラ４７の加熱が開始される。第２サーミスタ４９ａを介して加熱ローラ４７の外周面の温度がモニタされ、所定の設定温度に達した時点でベルトの走行（加圧ローラ回転駆動による従動）が、開始される。定着ベルト４５の外周面４５ａの温度は第１サーミスタ４９ｂを介してモニタされ、所定の設定温度に達した時点で、ウォーミングアップ動作が終了される。つまり、ウォームアップ動作によって、定着ベルト４５の外周面４５ａが定着に必要な設定温度に昇温される。
【００３４】
上述したウォーミングアップ動作において、ハロゲンランプ４６からの熱は以下のように各部材に伝えられる。ハロゲンランプ４６からの熱は、加熱ローラ４７の内面の黒色塗料によって効果的に吸収され、加熱ローラ４７の外周面に伝えられる。加熱ローラ４７の外周面に伝えられた熱は、定着ベルト４５とのニップを介して定着ベルト４５の外周面４５ａに伝えられる。
【００３５】
定着ベルト４５の外周面４５ａに伝えられた熱は、その内面に向けてその厚さ方向に伝えられ、定着ベルト４５の内面に達する。定着ベルト４５の内面に伝えられた熱は、この内面に接触している定着ローラ４１の外周面、および支持ローラ４４の外周面に伝えられる。定着ローラ４１および支持ローラ４４の外周面に伝えられた熱は、それぞれの回転軸を介してプリンタの筐体に逃げるように伝えられる。
【００３６】
また、定着ベルト４５の外周面４５ａに伝えられた熱は、定着ベルト４５が走行することにより、ニップ部Ｎを介して加圧ローラ４２の外周面４２ａに伝えられ、且つ定着ベルト４５の外周面４５ａに接触して配置された第１サーミスタ４９ｂに伝えられる。加圧ローラ４２に伝えられた熱は、その回転軸やバネ４３を介してプリンタの筐体に逃げるように伝熱される。
【００３７】
このように各部材間を伝えられる熱のうち、トナー像の定着に直接関与する熱は、定着ベルト４５の外周面４５ａから用紙の表面に伝えられる熱である。他の部材に伝えられる熱は、定着には利用されることなく無駄になる。尚、トナー像の定着には、これらの熱の他にニップ部Ｎにおける一定の圧力が必要となる。
【００３８】
つまり、トナー像を用紙に定着可能な条件は、トナーの物性、用紙の材質・厚さ、用紙の搬送速度などにより若干異なるが、定着ベルト４５と加圧ローラ４２とを一定の押圧力で押し付けて両者の間に所定の幅のニップ部Ｎを形成するとともに、定着ベルト４５の外周面４５ａを設定温度まで昇温することが必要となる。これらの条件が満たされないと、例えば定着ベルト４５の外周面４５ａの加熱が不十分だと、定着不良やコールドオフセットを引き起こす。
【００３９】
ところで、この発明の目的とするように、ウォーミングアップ動作に要する消費電力をできるだけ低く抑え、且つウォーミングアップ動作にかかる時間をできるだけ短くするためには、定着ベルト４５の外周面４５ａの設定温度まで効率良く昇温することが望ましい。
【００４０】
本実施の形態では、定着ベルト４５の外周面４５ａであって、且つベルト走行方向Ａのニップ部Ｎの上流側にヒータを内蔵する加熱ローラ４７を接触配置し、定着ベルト４５の外周面４５ａを直接加熱することにより、逃げる熱を極力少なく抑えるようにした。これにより、例えば、上述した特開２０００−６６５４１号公報や特開平８−２９２６６９号公報に開示された従来の装置、すなわち複数のローラに無端状の定着ベルトを巻き掛けたタイプの装置と比較して、定着ベルトから熱が逃げる“逃げ道”を少なくでき、定着ベルト４５を少ない熱エネルギで短時間に効率良く昇温できる。このため、結果的に、消費電力を低く抑え、ウォーミングアップに要する時間を短縮できる。
【００４１】
また、本実施の形態では、熱の“逃げ道”を少なくするため、定着ベルト４５の構成として、断熱弾性層を有する構成を採用した。図３は本発明の一実施例に係る定着ベルトの断面図である。図３に示すように、本実施例の定着ベルト４５は、ポリイミド等の樹脂材料からなる厚さ９０μｍの基体フィルム４５１の外側にシリコーンゴムを厚さ２００μｍで塗布して断熱弾性層４５２を形成し、断熱弾性層４５２の外側にフッ素樹脂からなる離型層４５３を形成してなる。
【００４２】
基体フィルム４５１には、耐熱性と機械的強度が要求される。基体フィルム４５１として、例えば、ＮｉやＳＵＳ等の金属を採用しても良い。定着ベルト４５の断熱弾性層４５２は、トナーおよび用紙に対して熱と圧力を均一に与えることができ、安定した定着性能を発揮でき、且つ断熱性に優れた材料によって形成されれば良く、シリコーンゴムに限らない。
【００４３】
このように、定着ベルト４５の内面側に断熱弾性層４５２を形成することにより、定着ベルト４５の内面に接触配置された部材である定着ローラ４１、および支持ローラ４４に熱が逃げることを抑制でき、定着ベルト４５をより効率良く昇温でき、消費電力をより低く抑え、ウォームアップ時間をより短縮できる。
【００４４】
また、定着ベルト４５の外周面４５ａにはフッ素樹脂からなる離型層４５３を形成した。従来の定着装置ではトナーのオフセットを防止するため、シリコーンゴム層に離型剤としてシリコーンオイルを塗布・含浸させる方法が公知であるが、オイル塗布機構が煩雑で高価になりやすく、またオイル塗布機構を定着ベルト４５の外周面に接触させることによる熱の損失が大きい不具合があった。離型層４５３（フッ素樹脂層）はＰＴＦＥ（ポリテトラフルオロエチレン）、ＰＦＡ（テトラフルオロエチレンパーフルオロアルキル）、ＦＥＰ（フッ化エチレンプロピレン）等の公知のフッ素樹脂あるいはそれらのブレンド材料を断熱弾性層４５２上にプライマを介して塗布・焼成することで得られる。またはフッ素樹脂チューブを被服してもよい。
【００４５】
このように、定着ベルト４５の外周面４５ａにはフッ素樹脂からなる離型層４５３を形成することで煩雑なオイル塗布機構を付加することなくオフセットを抑制し、またオイル塗布機構を定着ベルト４５の外周面に接触させることがないため、オイル塗布機構へ熱が逃げることを抑制でき、定着ベルト４５をより効率良く昇温でき、消費電力をより低く抑え、ウォームアップ時間をより短縮できる。なお、本発明は上記実施例に限定されるものではない。即ち、本発明の骨子を逸脱しない範囲で種々変形して実施することができる。
【図面の簡単な説明】
【００４６】
【図１】本発明の一実施例に係るカラープリンタの概略図である。
【図２】本発明の一実施例に係る定着装置の概略図である。
【図３】本発明の一実施例に係る定着ベルトの断面図である。
【符号の説明】
【００４７】
１Ｙ、１Ｍ、１Ｃ、１Ｂｋ    感光体ドラム（像担持体）
４Ｙ、４Ｍ、４Ｃ、４Ｂｋ    現像装置（現像手段）
１０Ｙ、１０Ｍ、１０Ｃ、１０Ｂｋ    画像形成部
４０    定着装置
４１    定着ローラ
４２    加圧ローラ
４４    支持ローラ
４５    定着ベルト
４５ａ    外周面
４６    ハロゲンランプ（熱源）
４７    加熱ローラ
４８    バネ
４５２    断熱弾性層
４５３    離型層
Ａ    ベルト走行方向
Ｋ    記録材
Ｎ    ニップ部
【図１】
2005099104.tif 000003
【図２】
2005099104.tif 000004
【図３】
2005099104.tif 000005